(57)【要約】【課題】装置の起動者に対応する入力ソースの映像信号を選択することにより、入力切換操作上の負担を軽減すること。【解決手段】表示制御装置は、ユーザ操作による入力ソース切換を行うための入力ソース選択部１００と、表示装置の前にいる人物を識別して人物判定情報を出力する人物判定部１０２を備える。関連情報蓄積部１０３は、入力ソース選択部１００からの入力ソースを示す情報と、人物判定情報を関連付けて記憶する。制御部１０５は装置が起動された場合、関連情報蓄積部１０３に記憶した情報から起動者の人物判定情報に対応する入力ソース情報を検索し、該入力ソース情報に対応する入力ソースの映像信号を出力するよう、表示制御部１０４に指示する。【選択図】図１
2011130270.tif 000002
【特許請求の範囲】
【請求項１】
装置の起動者を識別して入力信号の入力源又はチャンネルの切り換えを制御する表示制御装置であって、
前記起動者を識別して人物判定情報を出力する人物判定手段と、
前記人物判定情報に対して前記起動者が前回の視聴終了時に選択していた入力源又はチャンネルを示す情報を関連付けて記憶する関連情報蓄積手段と、
装置が起動された場合、起動者の前記人物判定情報に関連付けられた入力源又はチャンネルを示す情報に基づいて入力信号を選択する制御手段と、を備えることを特徴とする表示制御装置。
【請求項２】
操作指示に従って入力源又はチャンネルの切換処理を行い、該入力源又はチャンネルを示す情報を出力する入力ソース選択手段を備え、
前記制御手段は前記関連情報蓄積手段に記憶された情報を検索し、表示指示に係る前記人物判定情報に対応する入力源又はチャンネルの入力信号を選択して出力するように制御することを特徴とする、請求項１記載の表示制御装置。
【請求項３】
前記関連情報蓄積手段は、入力源又はチャンネルを示す入力ソース情報と、前記人物判定手段によって識別された複数の人物の組合せを含む人物判定情報とを関連付けて記憶することを特徴とする、請求項１又は２記載の表示制御装置。
【請求項４】
前記制御手段は、前記関連情報蓄積手段において前記人物判定情報に対応する入力源又はチャンネルを示す情報が記憶されていない場合、前回最後に視聴された入力源又はチャンネルを示す情報に基づいて入力信号を選択して出力するように制御することを特徴とする、請求項１から３のいずれか１項記載の表示制御装置。
【請求項５】
前記制御手段は、前記関連情報蓄積手段において起動者の人物判定情報に対応する入力源又はチャンネルを示す情報が記憶されていない場合、前記起動者を除くその他の人物の組合せに係る人物判定情報を検索して、当該人物判定情報に対応する入力源又はチャンネルを示す情報に基づいて入力信号を選択して出力するように制御することを特徴とする、請求項１から４のいずれか１項記載の表示制御装置。
【請求項６】
人物を撮像して撮像信号を出力する撮像手段をさらに備え、
前記人物判定手段は、前記撮像信号に基づいて焦点が合っている人物を識別して起動者と判定することを特徴とする、請求項１から５のいずれか１項記載の表示制御装置。
【請求項７】
装置への操作指示を行うための遠隔操作手段と、
人物を撮像して撮像信号を出力する撮像手段をさらに備え、
前記人物判定手段は、前記撮像信号に基づいて前記遠隔操作手段を把持している人物を識別して起動者と判定することを特徴とする、請求項１から５のいずれか１項記載の表示制御装置。
【請求項８】
装置の起動者を識別して入力信号の入力源又はチャンネルの切り換えを制御する表示制御方法であって、
前記起動者を識別して人物判定情報を出力するステップと、
前記人物判定情報に対して前記起動者が前回の視聴終了時に選択していた入力源又はチャンネルを示す情報を関連付けて記憶するステップと、
装置が起動された場合、起動者の前記人物判定情報に関連付けられた入力源又はチャンネルを示す情報に基づいて入力信号を選択するステップと、を有することを特徴とする表示制御方法。
【発明の詳細な説明】
【技術分野】
【０００１】
本発明は表示制御装置及び表示制御方法に関し、特に表示装置への再表示が指示された場合に、表示装置の前にいる人物を判別して入力ソースを選択する表示制御技術に関する。
【背景技術】
【０００２】
近年、表示装置の起動時に効率的な選局機能を提供する装置が開発されている。表示装置の起動時に表示する番組に関して、予め設定された番組及び番組ジャンルの情報をメモリに蓄積された番組情報データから検索し、候補チャンネルの中から優先度の最も高い番組を選局し、表示する装置が知られている（特許文献１参照）。
【先行技術文献】
【特許文献】
【０００３】
【特許文献１】特開２００４−２３２１９号公報
【発明の概要】
【発明が解決しようとする課題】
【０００４】
しかしながら、上述した従来の技術では、前回に装置の電源を遮断した人と、今回装置の電源を入れて起動した人（以下、起動者という）が異なる場合、意図しない入力ソースが選択されている虞がある。つまり装置は前回と今回とでユーザが変わったことを認識していないので、入力切換操作に手間がかかる虞があった。例えば、表示装置にてＡさんが視聴終了時に選択していたチャンネルや入力ソースの情報を記憶しておき、次回の起動時にこれを自動選択する機能をもたせても、起動者Ｂさんには有益でないという状況が挙げられる。
そこで本発明は、装置の起動者を判別し、起動者に応じて入力ソースを選択することで、入力切換操作上の負担を軽減できる表示制御装置及び表示制御方法の提供を目的とする。
【課題を解決するための手段】
【０００５】
上記課題を解決するために本発明は、装置の起動者を識別して入力信号の入力源又はチャンネルの切り換えを制御する表示制御装置であって、前記起動者を識別して人物判定情報を出力する人物判定手段と、前記人物判定情報に対して前記起動者が前回の視聴終了時に選択していた入力源又はチャンネルを示す情報を関連付けて記憶する関連情報蓄積手段と、装置が起動された場合、起動者の前記人物判定情報に関連付けられた入力源又はチャンネルを示す情報に基づいて入力信号を選択する制御手段と、を備える。
【発明の効果】
【０００６】
本発明によれば、装置の起動者に対応する入力源又はチャンネルを示す情報を検索して、その入力信号を出力することができるので、入力切換操作上の負担を軽減できる。
【図面の簡単な説明】
【０００７】
【図１】本発明に係る一実施形態の装置構成例を示すブロック図である。
【図２】図３乃至５と併せて本発明の第１実施形態を説明するために、入力ソース情報と人物判定情報を関連付ける処理の一例を示す概念図である。
【図３】参照テーブルに記憶した関連付け情報を表形式で例示した図である。
【図４】装置の起動から遮断までの制御の流れを例示したフローチャートである。
【図５】参照テーブルの更新処理の一例を示す説明図である。
【図６】図７及び８と併せて本発明の第２実施形態を説明するために、入力ソース情報と組合せ人物判定情報を関連付ける処理の一例を示す概念図である。
【図７】装置の起動から遮断までの制御の流れを例示したフローチャートである。
【図８】参照テーブルの更新処理の一例を示す説明図である。
【発明を実施するための形態】
【０００８】
以下、図面を参照しながら本発明の好適な実施の形態を説明する。
図１は本発明の一実施形態に係るテレビ受信装置の構成例を示すブロック図である。本発明の表示制御装置は、テレビ放送の受信が可能なパーソナルコンピュータでもよい。
【０００９】
入力ソース選択部１００は、装置への操作指示を行う操作手段からの信号に従って入力ソースの選択処理を行うために設けられている。例えばユーザは、遠隔操作手段であるリモートコントローラ（以下、リモコンと略称する）１０７や表示装置本体に付設された操作キーなどを使用し、入力ソース切換やチャンネル選局の操作を行うことができる。この場合、入力ソース選択部１００は、操作指示に従って入力ソースの切換処理を行い、入力ソース情報を出力する。「入力ソース」とは、各種方式の放送波や入力端子からの映像入力信号、各種記憶媒体により表示装置へ提供されて該装置で利用可能な映像信号若しくは映像音声信号の入力源又はチャンネルなど、一切の情報源を意味する。例えば、ＲＦ（Radio Frequency）端子から放送波が装置に入力され、選局処理が行われる。また外部機器接続用のＨＤＭＩ（High-Definition Multimedia Interface）や、Ｄ、Ｓ、ビデオ、Ｄ−ＳｕｂやＬＡＮ端子からの入力信号が挙げられる。そしてＳＤカードなどの各種メモリインタフェース（以下、メモリＩＦと記す）等によって得られる入力信号がある。また「入力ソース情報」とは、端子情報や選局チャンネル（以下、Ｃｈとも記す）などの情報を意味する。入力ソース情報は関連情報蓄積部１０３へ送られ、入力ソースから入力される入力信号（映像信号若しくは映像音声信号）及び入力ソースの切換信号は表示制御部１０４に送出される。
【００１０】
撮像部１０１は表示装置の前方にいる人物を撮像し、撮像信号を人物判定部１０２へ出力する。人物判定部１０２は、撮像部１０１からの撮像信号に基づいて人物を識別し、人物判定情報を関連情報蓄積部１０３へ出力する。人物判定情報とは、例えばＡさん、Ｂさん、Ｃさんのように人物を識別するための情報である。なお、人物判定方法については、映像内での人物の顔の特徴を識別する方法など、既存の技術を用いることができるため、その詳細な説明を省略する。また人物判定情報としては上記で示したアルファベットを用いて識別する方法に限らず、人物の顔の静止画データを用いる方法などを採用してもよい。
【００１１】
関連情報蓄積部１０３は、入力ソース選択部１００からの入力ソース情報と人物判定部１０２からの人物判定情報とを関連付けて図示しない記憶手段に蓄積する。図２は、入力ソース情報と人物判定情報の関連付けを示す概念図である。本図は、表示装置での表示開始から表示終了までの間、ユーザが視聴した入力ソース情報と人物判定情報を関連付ける処理と、表示装置の前にいる人物が最後に視聴した入力ソースが何であるかを表わしている。本例では入力ソース情報としてＲＦ端子からの地上波の放送信号と、Ｄ−Ｓｕｂ端子からのコンピュータ（ＰＣ）の映像信号、ＨＭＤＩ端子からの再生映像信号を示し、人物判定情報としてＡさん、Ｂさん、Ｃさんを示す。人物判定情報により識別される各視聴者と、その人が前回の視聴終了時、つまり前回最後に視聴した映像の入力ソース情報を、関連付け情報として示している。この関連付け情報は、図３に示す参照テーブル（以下、ＬＵＴと記す）のデータとして図示しない記憶手段に蓄積される。本例ではアドレス、人物判定情報、入力ソース情報の対応関係を各行に示す。表示装置に表示が指示された場合、関連情報蓄積部１０３はＬＵＴを用いて、表示を指示した人物に対応する入力ソース情報を読み出して、表示制御部１０４へ出力する。なお、本実施形態で使用する蓄積媒体については、入力ソース情報と人物判定情報の関連付け情報を蓄積できる記憶媒体であればよく、装置内部の記憶媒体又は外部記録媒体の如何は問わない。またＬＵＴの構成は、入力ソース情報と人物判定情報との関連付けがなされていれば、必ずしも図３に示す構成に限定されない。
【００１２】
図１の表示制御部１０４は、関連情報蓄積部１０３からの入力ソース情報を受けて、表示装置の表示指示を行った人物に対応する入力ソースを選択し、選択した映像信号又は映像音声信号を表示装置へ出力する。また表示制御部１０４は、ユーザ操作による入力ソース切換の指示に基づいて入力ソースを選択し、選択した映像信号又は映像音声信号を表示装置へ出力する。
制御部１０５はバス１０６を通じて各部１００乃至１０４を制御する。例えば制御部１０５は、表示装置への入力ソースの表示開始や表示終了、例えば、起動、映像ミュート、映像ミュート解除や遮断操作などの表示制御に関わる操作指示に対し、該当する処理が行われるように制御する。
【００１３】
[第１実施形態]
以下、図４のフローチャートを用いて、本発明の第１実施形態における制御動作について説明する。本図は表示装置の起動から遮断までの処理の流れを例示しており、制御部１０５が解釈及び実行するプログラムによって実現される。なお以下の説明では、図２に示すように表示装置の前に人物が１人だけ存在する場合を想定し、図３（Ａ）に示すＬＵＴのデータが事前に蓄積されているものとする。まずＳ１００にて制御部１０５は、表示装置が起動されたか否かを判定する。表示装置が起動された場合、Ｓ１０１に進むが、そうでない場合には表示装置が起動されるまでＳ１００の判定が行われる。
【００１４】
Ｓ１０１にて制御部１０５は、撮像部１０１に対し撮像開始を指示する。撮像部１０１は、指示に従い表示装置の前にいる人物を撮像し、撮像信号を人物判定部１０２へ出力する。次のＳ１０２で人物判定部１０２は撮像信号を受けて表示装置前の人物を識別し、人物判定情報を関連情報蓄積部１０３へ出力する。本実施形態の場合、表示装置前の人物が１人であることを想定しているため、人物判定部１０２によって得られる人物判定情報は、表示装置の起動者の人物判定情報となる。
【００１５】
Ｓ１０３にて関連情報蓄積部１０３は、人物判定部１０２からの人物判定情報に基づき、起動者に関連付けられた入力ソース情報をＬＵＴから検索する。Ｓ１０４では、起動者の人物判定情報がＬＵＴに含まれているか否かについて判定される。例えば図３（Ａ）の例では、ＬＵＴ内に情報が蓄積されているＡさん、Ｂさん、Ｃさんの何れかの場合、対応する入力ソース情報が人物判定情報に関連付けられているので該当ありと判定され、Ｓ１０５に進む。また、該当なしの場合にはＳ１０６に進む。
Ｓ１０５では、起動者に対応する入力ソース情報が記憶されているアドレスを読み出す処理が行われる。例えば、起動者がＡさんの場合、アドレス０ｘ００番地の入力ソース情報が読み出される。
【００１６】
一方、上記Ｓ１０４において起動者の人物判定情報が、図３（Ａ）に示したＬＵＴ内に蓄積されていない場合（例えば、起動者Ｄさん）には、これに対応する入力ソース情報がないため、Ｓ１０６に進む。ここでは該当者がない場合の入力ソース情報が記憶されているアドレスの読み出し処理が行われる。例えば、Ｄさんが起動者である場合、図３（Ａ）のＬＵＴにてアドレス０ｘＦＦ番地の入力ソース情報が読み出される。このアドレス０ｘＦＦ番地は、ＬＵＴ内に記憶されていない新規の人物が表示装置を起動した場合に選択すべきアドレスを表わしており、記憶される入力ソース情報は、前回最後に視聴された入力ソース情報となる。
【００１７】
Ｓ１０５、Ｓ１０６の後、Ｓ１０７に進み、表示制御部１０４は、関連情報蓄積部１０３からの入力ソース情報に基づき、起動者に対応する入力ソースを選択し、選択したデータを表示装置へ出力する。例えば、Ａさんが起動者である場合、初期状態にてＲＦ端子の地上波ＣｈＸが選択され、選択された放送番組の信号が表示装置へ出力される。
【００１８】
Ｓ１０８にて人物判定部１０２は、表示装置が起動されてから電源が遮断されるまでの間、人物判定処理を行い、人物判定情報を関連情報蓄積部１０３へ出力する。次のＳ１０９で関連情報蓄積部１０３は入力ソース情報と人物判定情報とを関連付け、Ｓ１１０では、関連付けられた情報が新規の関連付け情報である場合、ＬＵＴへの追加処理が行われてデータが蓄積される。Ｓ１１１にて制御部１０５は、表示装置が遮断されたか否かを判定し、遮断された場合、上記一連の動作を終了するが、そうでない場合はＳ１０８に戻って処理を続行する。
【００１９】
図５は、表示装置の起動者がＤさんの場合を例にとり、Ｓ１０８乃至１１１におけるＬＵＴの更新処理の流れを示した図である。起動者Ｄさんは、ＬＵＴに人物判定情報が存在しない新規の人物であるため、ＬＵＴ内にＤさんの人物判定情報が登録される。入力ソース情報は、起動時に選択したアドレス０ｘＦＦ番地の入力ソース情報である。つまり本例ではＨＤＭＩ端子のＤＶＤ（Digital Versatile Disk）となり、新規人物用のアドレス０ｘ０３番地へ、Ｄさんを示す情報及びＨＤＭＩ端子のＤＶＤを示す情報が、初期値として関連付けられて記憶される。その後、表示装置前のＤさんが、入力ソース切換を装置に指示した場合、ＬＵＴのデータ更新が行われる。本例では、入力ソース選択部１００からの入力ソース情報に基づき、Ｄさんの入力ソース情報が記憶されているアドレス０ｘ０３番地の情報と、該当者なし用の入力ソース情報が記憶されているアドレス０ｘＦＦ番地の情報について更新処理が実行される。例えば、Ｄさんが、ＨＤＭＩ端子のＤＶＤからＬＡＮ端子のインターネットへの入力切換を装置に指示した場合、アドレス０ｘ０３番地とアドレス０ｘＦＦ番地の情報が、ＬＡＮ端子のインターネットを示す情報へと更新される。なお、アドレス０ｘＦＦ番地にて入力ソース情報を更新するタイミングについては、表示装置の遮断直前に行ってもよいし、定期的に行ってもよい。
【００２０】
次にＬＡＮ端子のインターネットが入力ソースとして選択されている状態で、Ｄさんが表示装置の前から離れ、代わってＡさんが表示装置前に登場した状況を想定する。人物判定部１０２からの人物判定情報はＡさんを示すこととなり、Ａさんの入力ソース情報が記憶されているアドレス０ｘ００番地では、ＬＡＮ端子のインターネットを示す情報への更新処理が行われる。ＬＡＮ端子のインターネットが選択されている状態でＡさんが遮断操作を行った場合、表示装置が遮断される。この場合、図３（Ｂ）のＬＵＴの第１行目、アドレス０ｘ００番にてＡさんの入力ソース情報は、ＬＡＮ端子のインターネットとなる。
【００２１】
［第２実施形態］
次に本発明の第２実施形態を説明する。第２実施形態に係る装置の構成が図１に示す例と相違する点は、以下の通りである。
・人物判定部１０２（以下、「複数人物判定部」という）が複数人を判別できること。
・関連情報蓄積部１０３（以下、「組合せ関連情報蓄積部」という）が、複数人の組み合わせに関連した情報を蓄積すること。
なお、その他の処理部は、第１実施形態の場合と同じであるため説明を省略する。
【００２２】
複数人物判定部は起動者だけでなく、撮像部１０１で撮像されるその他の人物を判定することができ、再表示直後においては、撮像部１０１からの映像信号に基づいて表示装置の表示を指示した人物と、表示装置前のその他の人物の判定を行う。そして複数人物判定部は表示を指示した人の人物判定情報及びその他の人物判定情報を組合せ関連情報蓄積部１０３へ出力する。表示装置の再表示後、複数人物判定部は表示装置の前にいる人の人物判定情報を組合せ関連情報蓄積部へ出力する。
【００２３】
組合せ関連情報蓄積部は、複数の人物判定情報を組み合わせに対して、入力ソース情報を関連付けて記憶する機能を有する。以下では、表示を指示した人の人物判定情報とその他の人物判定情報を組み合せた情報を、「組合せ人物判定情報」という。組合せ関連情報蓄積部は再表示直後に、入力ソース選択部１００からの入力ソース情報と、複数人物判定部からの組合せ人物判定情報を関連付けて蓄積する。そして表示装置にて再表示が行われた後で、組合せ関連情報蓄積部は、入力ソース選択部１００からの入力ソース情報と、複数人物判定部からの人物判定情報を関連付けて蓄積する。
【００２４】
図６は、入力ソース情報と組合せ人物判定情報との関連付けを示す概念図である。表示装置の表示開始から表示終了までの間、視聴された入力ソース情報と組合せ人物判定情報との関連付けが行われ、図には複数の人物の組合せにおいて最後に視聴した入力ソースが何であるかを表わしている。本例では表示開始の時点からＡさん、Ｂさん、Ｃさん、Ｄさんの順で各人が所望の入力ソースを選択して映像を視聴したものとする。その後、ＡさんとＢさんの組合せ、ＣさんとＤさんの組合せ、Ａ乃至Ｃさんの組合せ、Ａ乃至Ｄさんの組合せで所望の入力ソースを選択して映像を視聴したことが示されている。「組合せ関連付け情報」は、組合せ人物判定情報に対して入力ソース情報を関連付けた情報を表す。例えば、ＡさんとＢさんの組合せでの入力ソース情報として、ＲＦ端子からの地上波放送のチャンネルＹを示す情報が関連付けられ、またＣさんとＤさんの組合せでは、ＲＦ端子からの衛星放送のチャンネルＷを示す情報が関連付けられる。組合せ関連付け情報は、図３に示すようなＬＵＴとして各アドレスの示す位置に記憶される。表示装置が再表示された場合、再表示を指示した人とその他の人の組合せに対応する入力ソース情報がＬＵＴから読み出され、表示制御部１０４へ出力される。但し、この場合、図３の人物判定情報の欄には組合せ人物判定情報を含むことに注意を要する。
【００２５】
以下、第２実施形態における制御について、図７のフローチャートを用いて説明する。本図は表示装置の起動から遮断までの制御の流れを示しており、図６に示した表示装置の前に複数の人物がいる場合を想定し、予め組合せ関連付け情報がＬＵＴに記憶されているものとする。なおＳ１００、Ｓ１０１、Ｓ１０７、Ｓ１１１については、第１実施形態の場合（図４参照）と同じであるため、それらの説明を省略し、相違点のみを説明する。
【００２６】
Ｓ１０１の後、Ｓ２００に進み、複数人物判定部は、撮像部１０１からの撮像信号に基づき、表示装置の前にいる人物を判定する。複数の人物が存在する場合、撮像信号から起動者が誰であるかを判定する処理が行われる。例えば複数人物判定部は撮像信号に基づき、焦点が合っている人物を識別し、その人物が表示装置の起動者であると判定する。あるいは複数人物判定部は複数人のうちでリモコンを把持している人物を識別し、その人が起動者であると判定する。
【００２７】
Ｓ２０１にて制御部１０５は、組合せ人物判定情報に基づいて、関連付けられた入力ソース情報をＬＵＴの蓄積データから検索する。そしてＳ２０２では、該当するデータが見出されたか否かについて判定される。組合せ人物判定情報に対して入力ソース情報が関連付けられている場合、該当ありと判定され、Ｓ２０３に進む。ここで組合せ人物判定情報に対応する入力ソース情報が記憶されているアドレスの位置からデータの読み出しが行われる。例えば、Ａさんが表示装置を起動者であって、表示装置の前にＢさんがいる場合、この組合せに対応するアドレス番地の入力ソース情報が読み出される。
【００２８】
一方、Ｓ２０２において、組合せ人物判定情報がＬＵＴ内に記憶されていない場合、例えば、ＥさんとＡさんの組合せなどの場合には、対応する入力ソース情報がないため、該当なしと判定され、Ｓ２０４に進む。ここで、起動者の人物判定情報がＬＵＴ内に記憶されているか否かが判定される。例えば、判定対象となる人物が既にデータ蓄積済みのＡ乃至Ｄさんの何れかの場合、対応する入力ソース情報が関連付けられているため、該当ありと判定され、Ｓ２０５に進む。ここで起動者の人物判定情報に対して関連付けられた入力ソース情報が記憶されているアドレスからデータの読み出しが行われる。例えば、Ａさんが起動者であって、表示装置の前にＣさんがいる場合、Ａさんの人物判定情報に対応したアドレスから入力ソース情報が読み出される。
【００２９】
一方、Ｓ２０４において、起動者の人物判定情報がＬＵＴ内に記憶されていない場合、例えばＥさんの場合には、対応する入力ソース情報が関連付けられていないため、該当なしと判定され、Ｓ２０６に進む。ここで組合せ関連付け情報がＬＵＴから検索され、該当するデータが見出されたか否かについて判定される。例えば、表示装置の前にいる起動者以外の人物判定情報がＬＵＴ内に記憶されている場合、対応する入力ソース情報が関連付けられているため、該当ありと判定され、Ｓ２０７に進む。ここで、表示装置の前にいる人の組合せ人物判定情報に対応する入力ソース情報が記憶されているアドレスから読み出される。例えば、Ｅさんが起動者であって表示装置の前にいる他の人物がＡさんとＢさんの場合、ＡさんとＢさんの組合せ人物判定情報に対応するアドレスの入力ソース情報が読み出される。
【００３０】
Ｓ２０６において、表示装置の前にいる、その他の人の人物判定情報がＬＵＴ内に記憶されていない場合、対応する入力ソース情報が関連付けられていないため、該当なしと判定され、Ｓ２０８に進む。ここでＳ２０８において、該当者なしの場合に用いる入力ソース情報が記憶されているアドレスからデータが読み出される。例えば、Ｅさんが起動者であって、表示装置の前にいるその他の人物がＡさんとＤさんの場合に、ＡさんとＤさんの組合せ人物判定情報に対して入力ソース情報が関連付けられていないものとする。この場合、予め定められたアドレスから入力ソース情報が読み出される。次のＳ２０９にて組合せ関連情報蓄積部は、起動直後の入力ソース情報と組合せ人物判定情報を関連付けて蓄積する。例えば、ＡさんとＤさんとＥさんの組合せ人物判定情報と、Ｅさんが起動して表示を指示した時の入力ソース情報が関連付けられてＬＵＴに追加される。
【００３１】
Ｓ２０３、Ｓ２０５、Ｓ２０７、Ｓ２０９の後、Ｓ１０７に進み、次のＳ２１０にて複数人物判定部は、表示装置の前にいる人物を判定し、人物判定情報を組合せ関連情報蓄積部へ出力する。Ｓ２１１で組合せ関連情報蓄積部は、入力ソース情報と人物判定情報の関連付けを行う。Ｓ２１２に進み、Ｓ２１１で関連付けした情報（組合せ関連付け情報を含む）が新規情報の場合、ＬＵＴへ追加されてデータが記憶される。
【００３２】
図８は、起動者がＥさんであって、その他の人物がＡさんとＤさんの場合を例にして、前記Ｓ２０９、Ｓ１０７、Ｓ２１０乃至２１２の制御におけるＬＵＴの更新処理を示した図である。ＡさんとＤさんとＥさんの組合せ人物判定情報はＬＵＴ内に記憶されていないため、新規に組合せ人物判定情報としてＬＵＴに登録される。これに対応する入力ソース情報は、起動時に選択したアドレス０ｘＦＦ番地の入力ソース情報、本例ではメモリＩＦのＳＤカードを示す。なお、アドレス０ｘＦＦ番地には、該当者なし用の入力ソース情報が格納されているものとする。組合せ関連情報蓄積部は、新規人物用のアドレス０ｘ０８番地にて、ＡさんとＤさんとＥさんの組合せ人物判定情報に対して、メモリＩＦのＳＤカードを示す入力ソース情報を初期値として関連付けて蓄積する。
【００３３】
その後、入力ソースとしてメモリＩＦのＳＤカードが選択されている状態で、ＡさんとＤさんが表示装置の前から離れて、Ｅさんのみが残されたとする。複数人物判定部の人物判定情報はＥさんを示し、該情報がＬＵＴ内に記憶されていないため、新規に人物判定情報として登録される。この場合の入力ソース情報は、メモリＩＦのＳＤカードを示すこととなり、新規人物用のアドレス０ｘ０９番地には、Ｅさんを示す人物判定情報とメモリＩＦのＳＤカードを示す入力ソース情報とが関連付けられて、ＬＵＴに記憶される。次に、表示装置前のＥさんが入力ソース切換を行った場合、Ｅさんの入力ソース情報が記憶されているアドレス０ｘ０９番地と、該当者なし用の入力ソース情報が記憶されているアドレス０ｘＦＦ番地の各入力ソース情報が更新される。例えば、Ｅさんが、メモリＩＦのＳＤカードからＤ−ｓｕｂ端子のコンピュータ（ＰＣ）へ入力を切り換えた場合、アドレス０ｘ０９番地とアドレス０ｘＦＦ番地の各入力ソース情報をＤ−ｓｕｂ端子のＰＣへと更新する処理が行われる。
【００３４】
次にＤ−ｓｕｂ端子のＰＣが選択されている状態で、Ｅさんが表示装置の前から離れ、代わりにＤさんが表示装置前に登場したとする。複数人物判定部はＤさんと判定し、組合せ関連情報蓄積部は、Ｄさんの入力ソース情報が記憶されているアドレス０ｘ０３番地の入力ソース情報をＤ−ｓｕｂ端子のＰＣへと更新する。
図７のＳ２１２の後、Ｓ１１１に進む。例えばＤ−ｓｕｂ端子のＰＣが選択されている状態で、Ｄさんが遮断操作を行った場合、表示装置が遮断されて上記した一連の処理が終了する。またＳ１１１で表示装置の遮断操作が行われない場合、Ｓ２１０に戻って処理が繰り返される。
【００３５】
第２実施形態では、複数の人物の組合せを含む人物判定情報と入力ソース情報を関連付けて記憶しておき、人物の組合せに応じた入力ソースの映像信号を出力することができる。これにより、複数人が装置を使用する場合でも入力切換操作上の負担を軽減でき、利便性が高まる。
【符号の説明】
【００３６】
１００  入力ソース選択部
１０１  撮像部
１０２  人物判定部
１０３  関連情報蓄積部
１０５  制御部
【図１】
2011130270.tif 000003
【図２】
2011130270.tif 000004
【図３】
2011130270.tif 000005
【図４】
2011130270.tif 000006
【図５】
2011130270.tif 000007
【図６】
2011130270.tif 000008
【図７】
2011130270.tif 000009
【図８】
2011130270.tif 000010